(57)【要約】      （修正有）【課題】加熱部が設けられているガラス板の部分が加熱されても、熱伝導により操作部が設けられているガラス板の部分まで熱くならない加熱調理器を提供する。また、加熱が行われるガラス板の部分で吹きこぼれ等が起こった場合でも、操作部が設けられているガラスの部分まで吹きこぼれ等がかからない加熱調理器を提供する。【解決手段】被加熱調理器具が載置されるメインガラス板１０を備えた加熱調理器１００であって、加熱調理器への操作を受け付ける操作部と、操作部の上方を覆うように設けられた操作部ガラス板１１と、操作部ガラス板の外周部を囲み操作部ガラス板よりも上方へ突出したフレーム１２と、を備え、メインガラス板と操作部ガラス板とは、フレームを介在して分離して配置されている。【選択図】図４
2017146047.tif 000002
【特許請求の範囲】
【請求項１】
被加熱調理器具が載置されるメインガラス板を備えた加熱調理器であって、
該加熱調理器への操作を受け付ける操作部と、
前記操作部の上方を覆うように設けられた操作部ガラス板と、
前記操作部ガラス板の外周部を囲み該操作部ガラス板よりも上方へ突出したフレームと、
を備え、
前記メインガラス板と前記操作部ガラス板とは、前記フレームを介在して分離して配置されている
ことを特徴とする加熱調理器。
【請求項２】
前記メインガラス板の上面は、
前記操作部ガラス板の上面より下方に配置されている
ことを特徴とする請求項１に記載の加熱調理器。
【請求項３】
前記操作部ガラス板は、
前記メインガラス板より薄い
ことを特徴とする請求項１又は２に記載の加熱調理器。
【請求項４】
前記操作部ガラス板は、
前記加熱調理器の平面視において、前記メインガラス板より前方に配置されている
ことを特徴とする請求項１〜３の何れか１項に記載の加熱調理器。
【請求項５】
前記操作部ガラス板は、
前記加熱調理器の平面視において、前記メインガラス板の左右のいずれか一方に配置されている
ことを特徴とする請求項１〜３の何れか１項に記載の加熱調理器。
【発明の詳細な説明】
【技術分野】
【０００１】
本発明は、天面にガラス板を備えた加熱調理器に関するものである。
【背景技術】
【０００２】
従来の電磁誘導による加熱を行う加熱調理器では、天面に１枚の大きなガラス板を設け、加熱調理器への操作は、ガラス板をタッチすることにより行う静電スイッチ方式としているものが提案されている（例えば特許文献１参照）。
【先行技術文献】
【特許文献】
【０００３】
【特許文献１】特許第４３９２８６５号公報
【発明の概要】
【発明が解決しようとする課題】
【０００４】
特許文献１に記載の加熱調理器の天面部に用いられるガラス板においては、１枚の大きなガラス板の範囲の中に、加熱部と操作部とが設けられている。このため、加熱部が設けられているガラス板の部分が加熱されると、熱伝導により操作部が設けられているガラス板の部分までもが熱くなってしまうという問題点があった。
【０００５】
また、特許文献１に記載の加熱調理器の天面部に用いられる１枚の大きなガラス板においては、加熱部が設けられているガラス板の部分から、操作部が設けられているガラスの部分までが完全に平坦な状態となる。このため、加熱が行われるガラス板の部分で吹きこぼれ等が起こった場合、せき止めるものが無く、操作部が設けられているガラスの部分まで吹きこぼれ等がかかってしまい、操作部を介して加熱調理器の操作ができなくなるという問題点があった。
【０００６】
本発明は、上記のような問題点を解決するためになされたものであり、第１の目的は、加熱部が設けられているガラス板の部分が加熱されても、熱伝導により操作部が設けられているガラス板の部分まで熱くならない加熱調理器を得ることにある。また、第２の目的は、加熱が行われるガラス板の部分で吹きこぼれ等が起こった場合でも、操作部が設けられているガラスの部分まで吹きこぼれ等がかからない加熱調理器を得ることにある。
【課題を解決するための手段】
【０００７】
本発明に係る加熱調理器は、被加熱調理器具が載置されるメインガラス板を備えた加熱調理器であって、該加熱調理器への操作を受け付ける操作部と、前記操作部の上方を覆うように設けられた操作部ガラス板と、前記操作部ガラス板の外周部を囲み該操作部ガラス板よりも上方へ突出したフレームと、を備え、前記メインガラス板と前記操作部ガラス板とは、前記フレームを介在して分離して配置されている。
【発明の効果】
【０００８】
本発明に係る加熱調理器によれば、操作部ガラス板の外周部を囲み操作部ガラス板よりも上方へ突出したフレームと、を備え、メインガラス板と操作部ガラス板とは、フレームを介在して分離して配置されている。このため、メインガラス板からの熱伝導により操作部ガラス板が熱くならならず、かつ、メインガラス板で発生した吹きこぼれが操作部ガラス板にかからない加熱調理器を提供することができる。
【図面の簡単な説明】
【０００９】
【図１】本発明の実施の形態１に係る加熱調理器の概略斜視図である。
【図２】本発明の実施の形態１に係る加熱調理器の一例の平面図ある。
【図３】本発明の実施の形態１に係る加熱調理器の他の例の平面図である。
【図４】図２のＸ−Ｘ断面模式図である。
【図５】図２のＹ−Ｙ断面模式図である。
【図６】本発明の実施の形態２に係る加熱調理器の図２のＸ−Ｘ断面模式図である。
【図７】本発明の実施の形態３に係る加熱調理器の図２のＸ−Ｘ断面模式図である。
【発明を実施するための形態】
【００１０】
以下、本発明の加熱調理器の実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。尚、図１において、天面部１の構成は省略して示してある。
【００１１】
実施の形態１．
［加熱調理器の構成］
図１は、本発明の実施の形態１に係る加熱調理器の概略斜視図である。図１に示されるように、加熱調理器１００は、上面に天面部１と、側面及び背面に外郭２と、前面にロースタ扉３、操作パネル４とを有している。
【００１２】
図２は、本発明の実施の形態１に係る加熱調理器の一例の平面図ある。図２に示されるように、天面部１は、加熱調理器１００の平面視において手前側から奥側に向かって、つまり、紙面に対して下側から上側に向かって、操作部ガラス板１１と、メインガラス板１０と、給排気口１７とが順に配設されている。操作部ガラス板１１の外周部と、メインガラス板１０の外周部と、給排気口１７の外周部とは、フレーム１２により囲まれている。また、操作部ガラス板１１とメインガラス板１０とは、フレーム１２を介在して分離して配置されている。
【００１３】
操作部ガラス板１１には、加熱調理器１００への操作を表示する操作表示部１５と、加熱調理器１００の火力を表示する火力表示部１６とが設けられている。また、メインガラス板１０の下方には、メインガラス板１０の上面に置かれる鍋やフライパン等の被加熱調理器具を誘導加熱する加熱コイル１３ａや、輻射熱で被加熱調理器具を加熱する電熱線方式のヒータ１４ａが設けられる。そして、メインガラス板１０の上面には、加熱コイル１３ａやヒータ１４ａの位置を示し、被加熱調理器具を載置する位置となる加熱部１３、１４が示されている。尚、加熱部１３の下方には加熱コイル１３ａ、加熱部１４の下方にはヒータ１４ａが設けられている。
【００１４】
図３は、本発明の実施の形態１に係る加熱調理器の他の例の平面図である。図３に示されるように、加熱調理器１００の平面視において、操作部ガラス板１１をメインガラス板１０の右側に配設してもよい。このようにすることで、加熱部１３、１４を使用者側に近づけることができると共に、意匠性の向上を図ることができ、また、加熱調理器１００の設置場所に関しても柔軟に対応できる加熱調理器１００を得ることができる。なお、本実施の形態１において、操作部ガラス板１１がメインガラス板１０の右側に配設された例を示したが、本発明はこれに限定されず、操作部ガラス板１１をメインガラス板１０の左側に配設してもよい。
【００１５】
図４は、図２のＸ−Ｘ断面模式図である。また、図５は、図２のＹ−Ｙ断面模式図である。図４及び図５に示されるように、操作部ガラス板１１及びメインガラス板１０は、平行又は同一平面上に設けられている。また、フレーム１２は、操作部ガラス板１１及びメインガラス板１０の外周部をそれぞれ囲み、フレーム１２の開口部１２ａを介して操作部ガラス板１１及びメインガラス板１０を露出させている。また、フレーム１２は、操作部ガラス板１１及びメインガラス板１０より上方へ突出している。これにより、メインガラス板１０内で吹きこぼれ等が発生した場合でもフレーム１２で吹きこぼれをせき止めることができ、操作部ガラス板１１への吹きこぼれの浸入を防ぐことができる。また、操作部ガラス板１１及びメインガラス板１０はフレーム１２を介在して分離して配置されている。これにより、加熱部１３及び加熱部１４を有するメインガラス板１０からの熱伝導により操作部ガラス板１１が熱くならならず、快適に操作部ガラス板１１を操作することができる。
【００１６】
なお、フレーム１２の高さは高いほど、吹きこぼれのせき止め効果が向上するが、意匠上の観点等から高さを例えば５（ｍｍ）程度とするのが良い。また、操作部ガラス板１１とメインガラス板１０との距離は、遠いほどメインガラス板１０の熱が操作部ガラス板１１に伝達しなくなるが、例えば、１０〜２０（ｍｍ）程度離せば十分に熱伝導の効果を減衰させることができる。また、フレーム１２の素材は、例えばステンレス、アルミ、鉄、又は耐熱性の樹脂で構成されており、加熱調理器１００の用途等に合わせて素材は適宜選択してもよい。  
【００１７】
また、図４において操作部ガラス板１１とメインガラス板１０との間のフレーム１２の断面が台形の形状をなしているが、本発明はこれに限定されず、半円状又は矩形状など、メインガラス板１０で吹きこぼれ等が発生した場合に、吹きこぼれをせき止めることができる形状であればよい。
【００１８】
操作部ガラス板１１及びメインガラス板１０の厚さは例えば４（ｍｍ）程度であり、操作部ガラス板１１の下部には静電スイッチ基板２０と、樹脂製の基板ホルダー２１が設けられている。つまり、操作部ガラス板１１は、静電スイッチ基板２０と、樹脂製の基板ホルダー２１とを上方から覆うように設けられている。ユーザーは、開口部１２ａから操作部ガラス板１１を触れることにより、操作部ガラス板１１の下部にある静電スイッチ基板２０を反応させ、加熱調理器１００の操作を実行する。なお、静電スイッチ基板２０と基板ホルダー２１は、本発明における「操作部」に相当する。
【００１９】
［実施の形態１の効果］
以上のことから、本実施の形態１によれば、被加熱調理器具が載置されるメインガラス板１０を備えた加熱調理器１００であって、加熱調理器１００への操作を受け付ける操作部と、操作部の上方を覆うように設けられた操作部ガラス板１１と、操作部ガラス板１１の外周部を囲み操作部ガラス板１１よりも上方へ突出したフレーム１２と、を備え、メインガラス板１０と操作部ガラス板１１とは、フレーム１２を介在して分離して配置されている。
このようにすることで、メインガラス板１０からの熱伝導により操作部ガラス板１１が熱くならず、かつ、メインガラス板１０からの吹きこぼれが操作部ガラス板１１にかからない加熱調理器１００を提供することができる。
【００２０】
実施の形態２．
本実施の形態２における加熱調理器１０１の基本的な構成は実施の形態１における加熱調理器１００と同様であるため、以下、実施の形態１との相違点を中心に本実施の形態２を説明する。実施の形態１と本実施の形態２との相違点は、メインガラス板１０が操作部ガラス板１１より下方に設けられている点である。
【００２１】
図６は、本発明の実施の形態２に係る加熱調理器の図２のＸ−Ｘ断面模式図である。図６に示されるように、加熱調理器１０１の天面部１は、メインガラス板１０と操作部ガラス板１１を備え、メインガラス板１０の上面は、操作部ガラス板１１の上面より下方に設けられている。メインガラス板１０の上面が操作部ガラス板１１の上面より鉛直方向に下方に設けられている高さは、意匠上の観点及び操作性の観点を考慮して、例えば５（ｍｍ）程度とする。
【００２２】
［実施の形態２の効果］
以上のことから、メインガラス板１０の上面は、操作部ガラス板１１の上面より下方に配置されているように構成する。このようにすることで、実施の形態１の効果に加えて、吹きこぼれが操作部ガラス板１１に浸入することをより一層防ぐ加熱調理器１０１を得ることができる。
【００２３】
実施の形態３．
本実施の形態３における加熱調理器１０２の基本的な構成は実施の形態１における加熱調理器１００と同様であるため、以下、実施の形態１との相違点を中心に本実施の形態３を説明する。実施の形態１と本実施の形態３との相違点は、操作部ガラス板１１ａがメインガラス板１０より薄く設計されている点である。
【００２４】
図７は、本発明の実施の形態３に係る加熱調理器の図２のＸ−Ｘ断面模式図である。図７に示されるように、加熱調理器１０２の天面部１は、メインガラス板１０と操作部ガラス板１１ａを備え、操作部ガラス板１１ａはメインガラス板１０より薄く設計されている。メインガラス板１０の厚さを例えば４（ｍｍ）とした場合、操作部ガラス板１１ａの厚さは、１〜２（ｍｍ）とする。なお、上記の厚さはあくまで例示であり、本発明はこれに限定されず、厚さを適宜変更しても良い。
【００２５】
［実施の形態３の効果］
以上のことから、操作部ガラス板１１ａは、メインガラス板１０より薄く設計されている。このようにすることで、実施の形態１の効果に加えて、静電スイッチ基板２０の感度を向上させることができる。また、操作部ガラス板１１ａを薄くすることによりフレーム１２の厚さを薄くして意匠性を向上させることができる。
【００２６】
以上、実施の形態１〜３について説明したが、本発明は各実施の形態の説明に限定されない。例えば、各実施の形態の全て又は一部を組み合わせることも可能である。
【符号の説明】
【００２７】
１  天面部、２  外郭、３  ロースタ扉、４  操作パネル、１０  メインガラス板、１１  操作部ガラス板、１１ａ  操作部ガラス板、１２  フレーム、１２ａ  開口部、１３  加熱部、１３ａ  加熱コイル、１４  加熱部、１４ａ  ヒータ、１５  操作表示部、１６  火力表示部、１７  給排気口、２０  静電スイッチ基板、２１  基板ホルダー、１００  加熱調理器、１０１  加熱調理器、１０２  加熱調理器。
【図１】
2017146047.tif 000003
【図２】
2017146047.tif 000004
【図３】
2017146047.tif 000005
【図４】
2017146047.tif 000006
【図５】
2017146047.tif 000007
【図６】
2017146047.tif 000008
【図７】
2017146047.tif 000009